(57)【要約】【課題】扉の開位置の調整及び保持を容易とするとともに、荷重調整を容易とし、かつ安価とする。【解決手段】一端が盤本体２３に回転軸２７を介して回動自在に連結されたストッパ腕２６の他端両側に突出して中空のスライド軸２８を設けるとともに、スライド軸２８に皿ばね２９を介してロックピン３０を挿入し、このロックピン３０を扉２５に設けたガイド３１内に皿ばね２９を圧縮した状態で移動可能に収納し、扉２５の開閉に応じてガイド３１内を移動するロックピン３０がばね圧により嵌合するロック孔３１ａをガイド３１に設け、ロックピン３０がロック孔３１ａに嵌合することにより扉２５の開位置を固定する。【選択図】図１
2008144432.tif 000002
【特許請求の範囲】
【請求項１】
盤本体にヒンジ部を介して扉を回動自在に取り付けた盤において、一端が盤本体に回動自在に連結されたストッパ腕と、ストッパ腕の他端両側にばね材を介して設けられ、扉に設けられたガイド内にばね材が圧縮された状態で移動可能に収納されたロックピンと、ガイドに設けられ、扉の開閉に応じてガイド内を移動するロックピンがばね圧により嵌合するロック孔とを備え、ロックピンがロック孔に嵌合することにより扉の開位置が固定されることを特徴とする盤の扉ストッパ構造。
【請求項２】
上記ばね材は、皿ばねにより形成し、その重ね方や重ね枚数を変えることによりばね荷重を変更するようにしたことを特徴とする請求項１記載の盤の扉ストッパ構造。
【請求項３】
ロックピンがロック孔に嵌合することによりガイドから露出した部分に穴を開けて棒を挿入するようにしたことを特徴とする請求項１又は２記載の盤の扉ストッパ構造。
【請求項４】
上記ばね材は、コイルばねであることを特徴とする請求項１又は３記載の盤の扉ストッパ構造。
【請求項５】
盤本体にヒンジ部を介して扉を回動自在に取り付けた盤において、一端が盤本体に回動自在に連結されたストッパ腕と、ストッパ腕の他端両側に設けられ、扉に設けられたガイド内に圧縮された状態で移動可能に収納された板ばねと、ガイドに設けられ、扉の開閉に応じてガイド内を移動する板ばねがばね圧により嵌合するロック孔とを備え、板ばねがロック孔に嵌合することにより扉の開位置が固定されることを特徴とする盤の扉ストッパ構造。
【請求項６】
板ばねがロック孔に嵌合することによりガイドから突出した部分にかぎを掛け、あるいは突出または露出した部分に孔を開けて棒を挿入するようにしたことを特徴とする請求項５記載の盤の扉ストッパ構造。
【発明の詳細な説明】
【技術分野】
【０００１】
この発明は、盤の扉ストッパ構造に関するものである。
【背景技術】
【０００２】
配電盤や制御盤等の盤においては、保守点検の際に不用意に扉を閉められたりしないようにするため、あるいは障害物の存在により扉の開き角度に制限がある場合等に備えて、扉にストッパを設けることがある。
【０００３】
図７は従来の扉ストッパ構造を有する盤の斜視図を示し、１は盤本体、２は盤本体１にヒンジ部３を介して回動自在に設けられた扉、４は盤本体１内の天井面に取り付けられた取付部、５は扉２の内面に取り付けられた取付部、６は一端が取付部４に回動自在に取り付けられたリンク、７は一端が取付部５に回動自在に取り付けられたリンクであり、リンク６，７の他端同士も回動自在に連結される。盤本体１、扉２、リンク６，７により四つ棒機構からなるストッパ構造が形成される。この構造においては、扉２の開角度は一つであるが、開角度限度まで開いた状態（扉２のロック状態）が判りやすい
図８（ａ）〜（ｃ）は従来の他の扉ストッパ構造を有する盤の平面図、そのＡ−Ａ線矢視図及び側面図を示し、８は盤本体、９は扉、１０は扉９の内面上部に溶接され、長孔１０ａが設けられたガイドである。１１は一端に立設されたロックピン２２が長孔１０ａにスナップピン１２を介して摺動自在にかつ回動自在に連結されたストッパ腕、１３は盤本体８の天井面に雄ねじ１４及びナット１５により取り付けられた取付金具であり、ストッパ腕１１の他端は取付金具１３にスナップピン１６を介して回動自在に連結される。又、ガイド１０の長孔１０ａにはボルト１７、支え板１８、座１９及びナット２０を介してばね材からなるストッパ２１が取り付けられ、ストッパ２１にはロックピン２２と嵌合するロック孔が設けられている。盤本体８、扉９及びストッパ腕１１により回転すべり子機構からなるストッパ構造が形成される。
【０００４】
上記構成において、扉９を開けると、ストッパ腕１１の一端のロックピン２２はガイド１０の長孔１０ａを移動して、ばね材からなるストッパ２１に当接して変形させ、所定の位置にあるストッパ２１のロック孔に嵌合し、扉９は動かなくなる。扉９の開角度は、ストッパ２１を動かすことにより、調整可能である。
【０００５】
その他、この出願の発明に関連する先行技術文献情報として、次のようなものがある。
【特許文献１】特開平５−２２８１３号公報
【特許文献２】特開平６−１５３３３５号公報
【特許文献３】特開２００４−１４０９０３号公報
【発明の開示】
【発明が解決しようとする課題】
【０００６】
図７に示した従来の盤の扉ストッパ構造においては、ばねによるロック方式ではないので、カチッと扉２は止まる。しかしながら、扉２の開角度の調整はできず、設計時の開角度のままとなる。開角度を変えるためには、ストッパを設けて、その取付孔を複数設け、ストッパの取付位置を変えればよいが、実際上は開角度の調整は困難である。又、市販品で高価となった。
【０００７】
一方、図８に示した盤の扉ストッパ構造においては、ストッパ２１をガイド１０の長孔１０ａにスライドさせて、扉９の開角度を定め、固定する方式である。このため、実際に扉９を必要角度開いた状態でストッパ２１を固定する必要があり、作業に手間を要した。又、ストッパ２１と支え板１８とをボルト１７により同時に固定しているが、この固定の具合によりストッパ２１の状態に差が出やすいため、調整が困難であった。例えば、ストッパ２１と支え板１８におけるボルト１７の挿通孔とボルト１７との余裕分のずれ具合により固定状態に差が生じ、ストッパ２１の取付状態に差が生じた。又、配電盤や制御盤が複数台ある場合には、扉９の停止時の力の掛け具合により差が生じた。さらに、扉９をストッパ２１で係止する場合に、ストップ位置でロックピン２２がストッパ２１のロック孔に嵌合して扉９は止まるが、ばね材からなるストッパ２１は次第に硬くなり、扉９の動きも次第に重くなるので、ロックピン２２がロック孔に嵌合して止まっても、操作者はこの嵌合が分かり難くなり、扉９をさらに開ける操作をしてしまうことがあった。
【０００８】
この発明は上記のような課題を解決するために成されたものであり、扉の開位置の調整が容易であるとともに、荷重調整が容易であり、かつ扉の開位置の保持が容易であるとともに、安価な盤の扉ストッパ構造を得ることを目的とする。
【課題を解決するための手段】
【０００９】
この発明の請求項１に係る盤の扉ストッパ構造は、盤本体にヒンジ部を介して扉を回動自在に取り付けた盤において、一端が盤本体に回動自在に連結されたストッパ腕と、ストッパ腕の他端両側にばね材を介して設けられ、扉に設けられたガイド内にばね材が圧縮された状態で移動可能に収納されたロックピンと、ガイドに設けられ、扉の開閉に応じてガイド内を移動するロックピンがばね圧により嵌合するロック孔とを備え、ロックピンがロック孔に嵌合することにより扉の開位置が固定されるものである。
【００１０】
請求項２に係る盤の扉ストッパ構造は、上記ばね材を皿ばねにより形成し、その重ね方や重ね枚数を変えることによりばね荷重を変更するようにしたものである。
【００１１】
請求項３に係る盤の扉ストッパ構造は、ロックピンがロック孔に嵌合することによりガイドから露出した部分に穴を開けて棒を挿入するようにしたものである。
【００１２】
請求項４に係る盤の扉ストッパ構造は、上記ばね材がコイルばねであるものである。
【００１３】
請求項５に係る盤の扉ストッパ構造は、盤本体にヒンジ部を介して扉を回動自在に取り付けた盤において、一端が盤本体に回動自在に連結されたストッパ腕と、ストッパ腕の他端両側に設けられ、扉に設けられたガイド内に圧縮された状態で移動可能に収納された板ばねと、ガイドに設けられ、扉の開閉に応じてガイド内を移動する板ばねがばね圧により嵌合するロック孔とを備え、板ばねがロック孔に嵌合することにより扉の開位置が固定されるものである。
【００１４】
請求項６に係る盤の扉ストッパ構造は、板ばねがロック孔に嵌合することによりガイドから突出した部分にかぎを掛け、あるいは突出または露出した部分に孔を開けて棒を挿入するようにしたものである。
【発明の効果】
【００１５】
以上のようにこの発明の請求項１によれば、扉のガイドにばね圧縮されて収納されたロックピンがガイドに設けられたロック孔にばね圧により嵌合することにより、扉の開位置を固定しており、ロック孔の位置調整により扉の開位置を容易に調整することができ、またこのようなロック機構により扉の開位置の保持も容易となり、構成も安価にすることができる。
【００１６】
又、請求項２によれば、ばね材を皿ばねにより形成したので、その重ね方や重ね枚数を変更することにより、ばね荷重の変更が容易となる。
【００１７】
請求項３によれば、ロックピンがロック孔に嵌合した際に、ロックピンのガイドから露出した部分に穴を開け、棒を挿入しており、扉を不用意に動かすことができなくなる。
【００１８】
請求項４によれば、ばね材をコイルばねにより形成しており、請求項１，３と同様な効果を奏する。
【００１９】
請求項５によれば、扉のガイドに圧縮された状態で収納された板ばねがガイドに設けられたロック孔にばね圧により嵌合することにより、扉の開位置を固定しており、ロック孔の位置調整により扉の開位置を容易に調整することができ、またこのようなロック機構により扉の開位置の保持も容易となり、構成も安価にすることができる。
【００２０】
請求項６によれば、板ばねがロック孔に嵌合した際に、ロックピンのガイドから突出した部分にかぎを掛け、あるいは突出または露出した部分に孔を開けて棒を挿入しており、扉を不用意に動かすことができなくなる。
【発明を実施するための最良の形態】
【００２１】
実施最良形態１
以下、この発明を実施するための最良の形態を図面とともに説明する。図１（ａ），（ｂ）はこの発明の実施最良形態１による扉ストッパ構造を有する盤の扉閉状態での平面図及び正面図を示し、図２（ａ），（ｂ）は同じく盤の扉閉状態での縦断側面図及び側面図を示し、図３は同じく盤の扉開状態での平面図を示し、要部は外部からは実際には見えなくても実線で示すこともある。又、図１（ｂ）では扉開状態でのストッパ腕等も正面図で示している。盤本体２３にはヒンジ部２４を介して扉２５を回動自在に連結している。２６は一端が盤本体２３に回転軸２７を介して回動自在に連結されたストッパ腕であり、ストッパ腕２６の他端には図４に示すように両側に突出して中空のスライド軸２８を立設し、各スライド軸２８の外周側には皿ばね２９を挿入し、その上からそれぞれロックピン３０をスライド軸２８の内周側に挿入する。
【００２２】
一方、扉２５内の上部には支持部３５を介してガイド３１が設けられ、ガイド３１内には一対のロックピン３０がばね圧縮された状態で、しかも移動可能に収納される。皿ばね２９は、適当なばね荷重が得られるように、表裏交互に重ねたり、同じ方向に重ねたり、あるいは重ね枚数を変えたりする。ガイド３１にはロックピン３０が嵌合する複数のロック孔３１ａが設けられる。
【００２３】
上記構成において、扉２３の開閉に応じてストッパ腕２６の他端の一対のロックピン３０はばね圧縮された状態でガイド３１内を移動し、ロックピン３０がガイド３１のロック孔３１ａの位置までくると、ロックピン３０は皿ばね２９のばね圧によりロック孔３１ａと嵌合し、ストッパ腕２６は固定され、扉２５の開位置も固定され、扉２５はその位置に保持される。又、扉２５に規定の荷重を加えれば、ロックピン３０とロック孔３１ａとの嵌合が外れ、扉２５は開閉可能となり、ロックピン３０が別のロック孔３１ａと嵌合することにより再び開位置は固定される。
【００２４】
実施最良形態1においては、ストッパ腕２６の他端両側に突出して中空のスライド軸２８を設け、このスライド軸２８に皿ばね２９を介してロックピン３０を設け、このロックピン３０を扉２５に設けたガイド３１にばね圧縮された状態で収納しており、扉２５を開閉した際にロックピン３０がロック孔３１ａにばね圧により嵌合することにより扉２５の開位置はしっかりと固定され、ロック孔３１ａの位置調整により扉２５の開角度の調整を容易に行うことができる。また、ロックピン３０をロック孔３１ａに嵌合するだけであるので、扉２５の開位置の保持が容易であるとともに、安価な構成とすることができる。
【００２５】
又、扉２５の大きさ、特に幅により作用点までの長さが変わるので、これに応じてばね荷重も変更可能なことが望ましいが、実施最良形態１ではばね材として皿ばね２９を用いており、皿ばね２９の表裏の重ね方法や重ね枚数を変更することによりばね荷重を変更することができ、ばね荷重の調整が容易である。なお、重ね枚数が少なく、所定のばね荷重が得られない場合には、ミガキ座金を挿入することによりばね荷重を増加させることができる。また、ロックピン３０がロック孔３１ａに嵌合した際には、ロックピン３０の頭部がロック孔３１ａから露出するので、この露出部分に穴を開け、この穴に棒を挿入することにより、扉２５は不用意に動かすことができなくなり、保守点検時等に任意時間扉２５を開放する場合等に便利となる。
【００２６】
実施最良形態２
図５（ａ）〜（ｄ）は実施最良形態２による扉ストッパ構造を有するガイドの平面図、正面図、側面図及び変形例の正面図を示し、板ばねは外部から見えない場合でも実線で示すことがある。一端が盤本体２３に回転軸２７を介して回動自在に連結されたストッパ腕２６の他端には両側に突出して板ばね３２が設けられ、板ばね３２は扉２５に設けられたガイド３１内に圧縮された状態で移動可能に収納される。ガイド３１には板ばね３２が嵌合する複数のロック孔３１ａが設けられる。なお、図５（ｂ）の板ばね３２は左端に位置するものが扉２５の閉状態時を示し、中央部分に位置するものが扉２５のストップ状態時を示す。
【００２７】
上記構成において、扉２５の開閉に応じてストッパ腕２６の他端の板ばね３２は圧縮された状態でガイド３１内を移動し、板ばね３２は扉２５の閉状態時にはガイド３１内で圧縮された状態（左端に示す。）にあり、扉２５のストップ状態時には板ばね３２の両側の突出部分はガイド３１のロック孔３１ａに嵌合し（中央部分に示す。）、ストッパ腕２６は固定され、扉２５の開位置は固定され、その位置に保持される。又、扉２５に規定の荷重を加えれば、板ばね３２とロック孔３１ａとの嵌合が外れ、扉２５は開閉可能となり、板ばね３２が別のロック孔３１ａと嵌合することにより再び開位置は固定される。
【００２８】
実施最良形態２においては、ストッパ腕２６の他端両側に突出して板ばね３２を設け、この板ばね３２を扉２５に設けたガイド３１にばね圧縮された状態で収納しており、扉２５を開閉した際に板ばね３２の突出部がガイド３１のロック孔３１ａにばね圧により嵌合することにより扉２５の開位置はしっかりと固定され、ロック孔３１ａの位置調整により扉２５の開角度の調整を容易に行うことができる。また、板ばね３２をロック孔３１ａに嵌合するだけであるので、扉２５の開位置の保持が容易であるとともに、安価な構成とすることができる。
【００２９】
又、板ばね３２がロック孔３１ａと嵌合した際には、板ばね３２の突出部分はロック孔３１ａから露出し、あるいは突出する。従って、この突出部分にかぎ（南京錠）を掛けるか、あるいはこの突出部分または露出部分に孔３２ａを開けて棒３３を挿入することにより、扉２５を不用意に動かすことができなくなり、保守点検時等に任意時間扉２５を開放することができる。
【００３０】
図５（ｄ）は実施最良形態２の変形例を示し、この例ではストッパ腕２６の他端の両側に別々の板ばね３４を設けており、各板ばね３４はやはりガイド３１内に圧縮された状態で移動可能に収納され（左端に示す。）、扉２５を開いてストップ位置にくると（中央に示す。）、各板ばね３４の突出部分がロック孔３１ａと嵌合し、ガイド３１外に突出する。作用、効果は実施細粒形態２と同様である。
【００３１】
実施最良形態３
図6はこの発明の実施最良形態３による盤の扉ストッパ構造の分解図を示し、ストッパ腕２６の他端には両側に突出して中空のスライド軸２８が設けられ、スライド軸２８の外周側にはコイルばね３６が設けられ、その外部からロックピン３０がスライド軸２８の内周側に挿入され、ロックピン３０はガイド３１内にばね圧縮されて収納される。３７，３８は回転軸２７を構成するボルト及びナットである。
【００３２】
実施最良形態３は実施最良形態１における皿ばね２９の代わりにコイルばね３６を用いただけであり、扉２５を開閉した際にロックピン３０がロック孔３１ａにばね圧により嵌合することにより扉２５の開位置がしっかりと固定され、ロック孔３１ａの位置調整により扉２５の開位置の調整を容易に行うことができる。また、ロックピン３０をロック孔３１ａに嵌合するだけであるので、扉２５の開位置の保持が容易であるとともに、安価な構成とすることができる。
【図面の簡単な説明】
【００３３】
【図１】この発明の実施最良形態１による扉ストッパ構造を有する盤の扉閉状態での平面図及び正面図である。
【図２】実施最良形態１による扉ストッパ構造を有する盤の扉閉状態での縦断側面図及び側面図である。
【図３】実施最良形態１による扉ストッパ構造を有する盤の扉開状態での平面図である。
【図４】実施最良形態１による盤の扉ストッパ構造の分解図である。
【図５】実施最良形態2による扉ストッパ構造を有するガイドの平面図、正面図、側面図及び変形例の正面図である。
【図６】実施最良形態３による盤の扉ストッパ構造の分解図である。
【図７】従来の扉ストッパ構造盤の斜視図である。
【図８】従来の他の扉ストッパ構造を有する盤の平面図、そのＡ−Ａ線矢視図及び側面図である。
【符号の説明】
【００３４】
２３…盤本体
２４…ヒンジ部
２５…扉
２６…ストッパ腕
２７…回転軸
２８…スライド軸
２９…皿ばね
３０…ロックピン
３１…ガイド
３１ａ…ロック孔
３２，３４…板ばね
３２ａ…孔
３３…棒
３６…コイルばね
【図１】
2008144432.tif 000003
【図２】
2008144432.tif 000004
【図３】
2008144432.tif 000005
【図４】
2008144432.tif 000006
【図５】
2008144432.tif 000007
【図６】
2008144432.tif 000008
【図７】
2008144432.tif 000009
【図８】
2008144432.tif 000010